【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
自装置の動作状態およびジョブを管理する画像処理装置と、外線および内線とのインターフェースを備え前記画像処理装置とネットワークを介して接続されるボタン電話主装置と、このボタン電話主装置に呼制御される少なくとも２つ以上のボタン電話機とを有するボタン電話システムであって、
前記画像処理装置は、
前記ボタン電話主装置からの問い合わせに対し自装置の動作状態を応答する動作状態送信手段と、
前記ジョブの完了時には前記ボタン電話主装置にジョブ完了を通知するジョブ完了通知手段とを備え、
前記ボタン電話主装置は、
前記画像処理装置に概周期的に問い合わせて前記画像処理装置の動作状態を受信する状態問い合わせ手段と、
前記画像処理装置からジョブ完了の通知を受信するジョブ完了通知受信手段と、
受信した前記動作状態および前記ジョブ完了通知から前記画像処理装置の状態を示す状態情報を生成して記憶手段に格納する情報格納手段と、
前記格納された状態情報を少なくとも１つ以上のボタン電話機に通知する通知制御手段とを備え、
前記ボタン電話機は、
前記ボタン電話主装置から通知された前記画像処理装置の状態情報をユーザに報知する報知手段を備えたことを特徴とするボタン電話システム。
【請求項２】
前記情報格納手段により生成され格納される状態情報には、前記画像処理装置の状態を詳しく示す詳細情報と簡易に示す簡易情報とがあり、前記通知制御手段は、最初に前記簡易情報を前記ボタン電話機に通知し、後に前記ボタン電話機からの要求により前記詳細情報を前記ボタン電話機に通知することを特徴とする請求項１記載のボタン電話システム。
【請求項３】
前記通知制御手段は、ボタン電話機の内線番号を選択設定するグルーピング設定手段を備え、前記グルーピング設定手段により設定されたボタン電話機のみに前記画像処理装置の状態情報を通知することを特徴とする請求項１または２記載のボタン電話システム。
【請求項４】
前記情報報格納手段は、生成した状態情報が、すでに前記記憶手段に格納された当該画像処理装置の状態情報と異なる場合のみ、格納された状態情報を今回生成した状態情報で更新をすることを特徴とする請求項１に記載のボタン電話システム。
【請求項５】
前記通知制御手段は、前記情報格納手段により前記状態情報が更新された場合のみ、前記ボタン電話機に前記状態情報を通知することを特徴とする請求項４に記載のボタン電話システム。
【請求項６】
前記通知制御手段は、通話中のボタン電話機に対しては前記状態情報の通知を通話終了時まで保留することを特徴とする請求項１、２、３、５のいずれかに記載のボタン電話システム。
【請求項７】
外線および内線とのインターフェースを備えボタン電話機の呼制御を行うとともに画像処理装置とネットワークを介して接続するボタン電話主装置であって、
前記画像処理装置に概周期的に問い合わせて前記画像処理装置の動作状態を受信する状態問い合わせ手段と、
前記画像処理装置からジョブ完了の通知を受信するジョブ完了通知受信手段と、
受信した前記動作状態および前記ジョブ完了通知から前記画像処理装置の状態を示す状態情報を生成して記憶手段に格納する情報格納手段と、
前記格納された状態情報を少なくとも１つ以上のボタン電話機に通知する通知制御手段とを備えたことを特徴とするボタン電話主装置。
【請求項８】
前記情報格納手段により生成され格納される状態情報には、前記画像処理装置の状態を詳しく示す詳細情報と簡易に示す簡易情報とがあり、前記通知制御手段は、最初に前記簡易情報を前記ボタン電話機に通知し、後に前記ボタン電話機からの要求により前記詳細情報を前記ボタン電話機に通知することを特徴とする請求項７記載のボタン電話主装置。
【請求項９】
前記通知制御手段は、ボタン電話機の内線番号を選択設定するグルーピング設定手段を備え、前記グルーピング設定手段により設定されたボタン電話機のみに前記画像処理装置の状態情報を通知することを特徴とする請求項７または８記載のボタン電話主装置。
【請求項１０】
前記情報報格納手段は、生成した状態情報が、すでに前記記憶手段に格納された当該画像処理装置の状態情報と異なる場合のみ、格納された状態情報を今回生成した状態情報で更新をすることを特徴とする請求項７に記載のボタン電話主装置。
【請求項１１】
前記通知制御手段は、前記情報格納手段により前記状態情報が更新された場合のみ、前記ボタン電話機に前記状態情報を通知することを特徴とする請求項１０に記載のボタン電話主装置。
【請求項１２】
前記通知制御手段は、通話中のボタン電話機に対しては前記状態情報の通知を通話終了時まで保留することを特徴とする請求項７、８、９、１１のいずれかに記載のボタン電話主装置。
【手続補正２】
【補正対象書類名】明細書
【補正対象項目名】００１２
【補正方法】変更
【補正の内容】
【００１２】
本発明は、上記目的を達成するために、請求項１に示すとおり、自装置の動作状態およびジョブを管理する画像処理装置と、外線および内線とのインターフェースを備え前記画像処理装置とネットワークを介して接続されるボタン電話主装置と、このボタン電話主装置に呼制御される少なくとも２つ以上のボタン電話機とを有するボタン電話システムであって、前記画像処理装置は、前記ボタン電話主装置からの問い合わせに対し自装置の動作状態を応答する動作状態送信手段と、前記ジョブの完了時には前記ボタン電話主装置にジョブ完了を通知するジョブ完了通知手段とを備え、前記ボタン電話主装置は、前記画像処理装置に概周期的に問い合わせて前記画像処理装置の動作状態を受信する状態問い合わせ手段と、前記画像処理装置からジョブ完了の通知を受信するジョブ完了通知受信手段と、受信した前記動作状態および前記ジョブ完了通知から前記画像処理装置の状態を示す状態情報を生成して記憶手段に格納する情報格納手段と、前記格納された状態情報を少なくとも１つ以上のボタン電話機に通知する通知制御手段とを備え、前記ボタン電話機は、前記ボタン電話主装置から通知された前記画像処理装置の状態情報をユーザに報知する報知手段を備えた構成とした。
【手続補正３】
【補正対象書類名】明細書
【補正対象項目名】００１４
【補正方法】変更
【補正の内容】
【００１４】
本発明に係るボタン電話システムは、自装置の動作状態およびジョブを管理する画像処理装置と、外線および内線とのインターフェースを備え前記画像処理装置とネットワークを介して接続されるボタン電話主装置と、このボタン電話主装置に呼制御される少なくとも２つ以上のボタン電話機とを有するボタン電話システムであって、前記画像処理装置は、前記ボタン電話主装置からの問い合わせに対し自装置の動作状態を応答する動作状態送信手段と、前記ジョブの完了時には前記ボタン電話主装置にジョブ完了を通知するジョブ完了通知手段とを備え、前記ボタン電話主装置は、前記画像処理装置に概周期的に問い合わせて前記画像処理装置の動作状態を受信する状態問い合わせ手段と、前記画像処理装置からジョブ完了の通知を受信するジョブ完了通知受信手段と、受信した前記動作状態および前記ジョブ完了通知から前記画像処理装置の状態を示す状態情報を生成して記憶手段に格納する情報格納手段と、前記格納された状態情報を少なくとも１つ以上のボタン電話機に通知する通知制御手段とを備え、前記ボタン電話機は、前記ボタン電話主装置から通知された前記画像処理装置の状態情報をユーザに報知する報知手段を備えた構成を採る。
【手続補正４】
【補正対象書類名】明細書
【補正対象項目名】００１６
【補正方法】変更
【補正の内容】
【００１６】
また、本発明は、請求項１記載のボタン電話システムにおいて、前記情報格納手段により生成され格納される状態情報には、前記画像処理装置の状態を詳しく示す詳細情報と簡易に示す簡易情報とがあり、前記通知制御手段は、最初に前記簡易情報を前記ボタン電話機に通知し、後に前記ボタン電話機からの要求により前記詳細情報を前記ボタン電話機に通知するものである。
【手続補正５】
【補正対象書類名】明細書
【補正対象項目名】００１８
【補正方法】変更
【補正の内容】
【００１８】
また、本発明は、請求項１または請求項２記載のボタン電話システムにおいて、前記通知制御手段は、ボタン電話機の内線番号を選択設定するグルーピング設定手段を備え、前記グルーピング設定手段により設定されたボタン電話機のみに前記画像処理装置の状態情報を通知するものである。
【手続補正６】
【補正対象書類名】明細書
【補正対象項目名】００２０
【補正方法】変更
【補正の内容】
【００２０】
また、本発明は、請求項１記載のボタン電話システムにおいて、前記情報報格納手段は、生成した状態情報が、すでに前記記憶手段に格納された当該画像処理装置の状態情報と異なる場合のみ、格納された状態情報を今回生成した状態情報で更新をするものである。
【手続補正７】
【補正対象書類名】明細書
【補正対象項目名】００２１
【補正方法】変更
【補正の内容】
【００２１】
これにより、上記請求項１記載の効果に加えて、ボタン電話主装置の処理負荷を軽減することにより、処理速度の低いＣＰＵを使用できるという効果を奏する。
【手続補正８】
【補正対象書類名】明細書
【補正対象項目名】００２２
【補正方法】変更
【補正の内容】
【００２２】
また、本発明は、請求項４記載のボタン電話システムにおいて、前記通知制御手段は、前記情報格納手段により前記状態情報が更新された場合のみ、前記ボタン電話機に前記状態情報を通知するものである。
【手続補正９】
【補正対象書類名】明細書
【補正対象項目名】００２３
【補正方法】変更
【補正の内容】
【００２３】
これにより、上記請求項４記載の効果に加えて、さらに、ボタン電話主装置の処理負荷を軽減することにより、処理速度の低いＣＰＵを使用できるという効果を奏する。  
【手続補正１０】
【補正対象書類名】明細書
【補正対象項目名】００２４
【補正方法】変更
【補正の内容】
【００２４】
また、本発明は、請求項１、２、３、５のいずれかに記載のボタン電話システムにおいて、前記通知制御手段は、通話中のボタン電話機に対しては前記状態情報の通知を通話終了時まで保留するものである。
【手続補正１１】
【補正対象書類名】明細書
【補正対象項目名】００２５
【補正方法】変更
【補正の内容】
【００２５】
これにより、上記請求項１、２、３、５のいずれか１項に記載の効果に加えて、さらに、利用者の通話を阻害せずに、画像処理装置の状態が変化したことを効果的に利用者に喚起することができるという効果を奏する。
【手続補正１２】
【補正対象書類名】明細書
【補正対象項目名】００２６
【補正方法】変更
【補正の内容】
【００２６】
また、本発明に係るボタン電話主装置は、外線および内線とのインターフェースを備えボタン電話機の呼制御を行うとともに画像処理装置とネットワークを介して接続するボタン電話主装置であって、前記画像処理装置に概周期的に問い合わせて前記画像処理装置の動作状態を受信する状態問い合わせ手段と、前記画像処理装置からジョブ完了の通知を受信するジョブ完了通知受信手段と、受信した前記動作状態および前記ジョブ完了通知から前記画像処理装置の状態を示す状態情報を生成して記憶手段に格納する情報格納手段と、
前記格納された状態情報を少なくとも１つ以上のボタン電話機に通知する通知制御手段とを備えた構成を採る。
【手続補正１３】
【補正対象書類名】明細書
【補正対象項目名】００２８
【補正方法】変更
【補正の内容】
【００２８】
また、本発明は、請求項７記載のボタン電話主装置において、前記情報格納手段により生成され格納される状態情報には、前記画像処理装置の状態を詳しく示す詳細情報と簡易に示す簡易情報とがあり、前記通知制御手段は、最初に前記簡易情報を前記ボタン電話機に通知し、後に前記ボタン電話機からの要求により前記詳細情報を前記ボタン電話機に通知するものである。
【手続補正１４】
【補正対象書類名】明細書
【補正対象項目名】００３０
【補正方法】変更
【補正の内容】
【００３０】
また、本発明は、請求項７または請求項８記載のボタン電話主装置において、前記通知制御手段は、ボタン電話機の内線番号を選択設定するグルーピング設定手段を備え、前記グルーピング設定手段により設定されたボタン電話機のみに前記画像処理装置の状態情報を通知するものである。
【手続補正１５】
【補正対象書類名】明細書
【補正対象項目名】００３２
【補正方法】変更
【補正の内容】
【００３２】
また、本発明は、請求項７記載のボタン電話主装置において、前記情報報格納手段は、生成した状態情報が、すでに前記記憶手段に格納された当該画像処理装置の状態情報と異なる場合のみ、格納された状態情報を今回生成した状態情報で更新をするものである。
【手続補正１６】
【補正対象書類名】明細書
【補正対象項目名】００３３
【補正方法】変更
【補正の内容】
【００３３】
これにより、上記請求項７記載の効果に加えて、ボタン電話主装置の処理負荷を軽減することにより、処理速度の低いＣＰＵを使用できるという効果を奏する。
【手続補正１７】
【補正対象書類名】明細書
【補正対象項目名】００３４
【補正方法】変更
【補正の内容】
【００３４】
また、本発明は、請求項１０記載のボタン電話主装置において、前記通知制御手段は、前記情報格納手段により前記状態情報が更新された場合のみ、前記ボタン電話機に前記状態情報を通知するものである。
【手続補正１８】
【補正対象書類名】明細書
【補正対象項目名】００３５
【補正方法】変更
【補正の内容】
【００３５】
これにより、上記請求項１０記載の効果に加えて、さらに、ボタン電話主装置の処理負荷を軽減することにより、処理速度の低いＣＰＵを使用できるという効果を奏する。  
【手続補正１９】
【補正対象書類名】明細書
【補正対象項目名】００３６
【補正方法】変更
【補正の内容】
【００３６】
また、本発明は、請求項７、８、９、１１のいずれかに記載のボタン電話主装置において、前記通知制御手段は、通話中のボタン電話機に対しては前記状態情報の通知を通話終了時まで保留するものである。
【手続補正２０】
【補正対象書類名】明細書
【補正対象項目名】００３７
【補正方法】変更
【補正の内容】
【００３７】
これにより、上記請求項７、８、９、１１のいずれか１項に記載の効果に加えて、さらに、利用者の通話を阻害せずに、画像処理装置の状態が変化したことを効果的に利用者に喚起することができるという効果を奏する。